(57)【要約】【課題】この発明は、種類の異なるカードスロットを同じ場所に選択的に取り付けできる電子機器、および回路基板を提供することを課題とする。異なるカードスロットであっても同形の基板に実装することが可能となる。【解決手段】回路基板２０は、装着領域Ｒに選択的に取り付けられるＰＣカードスロットを接続する接続パターン２５、エクスプレスカードスロットを接続する接続パターン２６、およびスマートカードスロット２３を接続する接続パターン２７を有する。スマートカードスロット２３の端部がエクスプレスカードスロット用の接続パターン２６に重なるため、スマートカードスロット２３用の接続パターン２７を２つの接続パターン２５、２６間の位置にずらし、フレキシブルプリント配線５１およびコネクタ５２を介して、スマートカードスロット２３を接続パターン２７に接続した。【選択図】      図５
2009134417.tif 000002
【特許請求の範囲】
【請求項１】
筐体と、
複数の電子部品を実装して上記筐体内に収容配置された回路基板と、
上記筐体に設けられたカード挿抜口と、
このカード挿抜口に連絡して上記回路基板上に取り付けられる第１のカードスロットと、
この第１のカードスロットを上記回路基板に接続するため当該回路基板上に設けられた第１の接続端子と、
この第１の接続端子に重なる位置に接続端子を持つ第２のカードスロットを上記第１のカードスロットの代りに上記回路基板上に取り付けるため、上記第１の接続端子とは別の位置で上記回路基板上に設けられた第２の接続端子と、
を有することを特徴とする電子機器。
【請求項２】
上記第２のカードスロットを上記第２の接続端子に接続するための配線をさらに有することを特徴とする請求項１に記載の電子機器。
【請求項３】
上記第１および第２のカードスロットを上記回路基板に選択的に取り付けるため当該回路基板に設けられた共通の取り付け構造をさらに有することを特徴とする請求項２に記載の電子機器。
【請求項４】
電子機器の筐体内に収容配置される回路基板であって、
上記筐体のカード挿抜口に連絡して当該回路基板上に取り付けられる第１のカードスロットを当該回路基板に接続するための第１の接続端子と、
この第１の接続端子に重なる位置に接点がある第２のカードスロットを上記第１のカードスロットの代りに当該回路基板上に取り付けるため、上記第１の接続端子とは別の位置に設けられた第２の接続端子と、
を有することを特徴とする回路基板。
【請求項５】
上記第１および第２のカードスロットを当該回路基板に選択的に取り付けるための共通の取り付け構造をさらに有することを特徴とする請求項４に記載の回路基板。
【発明の詳細な説明】
【技術分野】
【０００１】
この発明は、ポータブルコンピュータなどの電子機器、およびこの電子機器に組み込まれる回路基板に関する。
【背景技術】
【０００２】
一般に、ポータブルコンピュータなどの電子機器は、複数の電子部品を実装した回路基板を筐体内に収容配置している。また、この種の電子機器の回路基板には、例えば、ＨＤＤ（ハードディスクドライブ）や半導体メモリなどの記憶装置も取り付けられる（例えば、特許文献１参照。）。
【０００３】
この公報に開示された装置では、ＨＤＤを回路基板に取り付けるためのベース部を半導体メモリを搭載したメモリボードを取り付けるベース部と兼用にしたことを特徴としており、同じ空間にＨＤＤ或いはメモリボードを選択的に取り付け可能となっている。
【特許文献１】特開平９−９７１２４号公報
【発明の開示】
【発明が解決しようとする課題】
【０００４】
しかし、ＰＣカードスロットのように装着するカードによって形状が決まっている装置を電子機器の筐体の側面内側に近接して回路基板上の特定位置に取り付ける場合、この特定形状のカードスロットを回路基板に接続する基板側の接続端子の位置は、カードスロットの種類（すなわち外形）によって一義的に決まってくる。従って、異なる種類のカードスロットを回路基板上の同じ位置に選択的に取り付けようとした場合、接続端子の位置によっては選択的な取り付けができないカードスロットの組み合わせが存在する。つまり、回路基板上で重なる位置に接続端子が存在する２種類のカードスロットは選択的な取り付けができない。
【０００５】
従って、この場合、各カードスロットを取り付けるための別々のスペースを設ける必要があり、その分、回路基板上の実装スペースが狭くなってしまう。また、この場合、ユーザーによっては、必要のない種類のカードスロット用に無駄なスペースを設けることになってしまう。
【０００６】
この発明の目的は、種類の異なるカードスロットを同じ場所に選択的に取り付けできる電子機器、および回路基板を提供することにある。
【課題を解決するための手段】
【０００７】
上記目的を達成するため、本発明の電子機器は、筐体と、複数の電子部品を実装して上記筐体内に収容配置された回路基板と、上記筐体に設けられたカード挿抜口と、このカード挿抜口に連絡して上記回路基板上に取り付けられる第１のカードスロットと、この第１のカードスロットを上記回路基板に接続するため当該回路基板上に設けられた第１の接続端子と、この第１の接続端子に重なる位置に接続端子を持つ第２のカードスロットを上記第１のカードスロットの代りに上記回路基板上に取り付けるため、上記第１の接続端子とは別の位置で上記回路基板上に設けられた第２の接続端子と、有する。
【０００８】
また、本発明の回路基板は、電子機器の筐体内に収容配置され、上記筐体のカード挿抜口に連絡して当該回路基板上に取り付けられる第１のカードスロットを当該回路基板に接続するための第１の接続端子と、この第１の接続端子に重なる位置に接点がある第２のカードスロットを上記第１のカードスロットの代りに当該回路基板上に取り付けるため、上記第１の接続端子とは別の位置に設けられた第２の接続端子と、を有する。
【０００９】
上記発明によると、第１のカードスロットの第１の接続端子と重なる位置に接続端子を持つ第２のカードスロットの第２の接続端子を回路基板上の別の位置に設けたため、回路基板側の接続端子の位置が重なる第１および第２のカードスロットを選択的に回路基板に取り付けることができる。また、異なるカードスロットであっても同形の基板に実装することが可能となる。
【発明の効果】
【００１０】
この発明の電子機器、および回路基板は、上記のような構成および作用を有しているので、種類の異なるカードスロットを同じ場所に選択的に取り付けできる。
【発明を実施するための最良の形態】
【００１１】
以下、図面を参照しながらこの発明の実施の形態について詳細に説明する。  
図１には、この発明の実施の形態に係る電子機器の一例として、ポータブルコンピュータ１の外観斜視図を示してある。図１では、コンピュータ本体２に対してディスプレイユニット３を開いた状態を示してある。
【００１２】
コンピュータ本体２は、扁平な矩形箱状の筐体４を備えている。筐体４は、底壁（図示せず）、上壁４ａ、前壁４ｂ、右側壁（図示せず）、左側壁４ｃ、および後壁（図示せず）を有する。筐体４の上壁４ａには、ポインティングデバイスを含むキーボード５が設けられている。
【００１３】
また、筐体４の左側壁４ｃには、ＰＣカード１０を挿抜するためのカード挿抜口９が設けられている。カード挿抜口９は、開閉可能な蓋９ａで覆われている。本実施の形態では、このカード挿抜口９を介して、ＰＣカード１０の他に、後述するスマートカードやエクスプレスカードを挿入および抜き取り可能となっている。つまり、カード挿抜口９の内側には、使用するカードの種類に応じて選択される複数種類のカードスロット（後述する）が排他的に設けられている。
【００１４】
ディスプレイユニット３は、ディスプレイハウジング１５と、このディスプレイハウジング１５に収容された液晶表示パネル１６とを備えている。液晶表示パネル１６は、表示画面１６ａを有している。この表示画面１６ａは、ディスプレイハウジング１５の前面の開口部１７を介してディスプレイハウジング１５の内側に露出している。
【００１５】
ディスプレイハウジング１５は、筐体４の後端部にヒンジ１８を介して回動可能に取り付けられている。そのため、ディスプレイユニット３は、筐体４の上壁４ａやキーボード５を上方から覆うように倒される閉じ位置と、上壁４ａ、キーボード５、および表示画面１６ａを露出させるように起立する開き位置と、の間で開閉可能となっている。
【００１６】
図２には、上述したコンピュータ本体２の筐体４内に収容配置した回路基板２０の概略図を示してある。この回路基板２０上には、複数の電子部品が実装されており、上述した筐体４のカード挿抜口９に連絡した状態でＰＣカードスロット２１が取り付けられている。また、図３には、ＰＣカードスロット２１を取り外した状態の回路基板２０の部分拡大図を示してある。図３では、ＰＣカードスロット２１を取り外した後の装着領域を破線Ｒで示してある。
【００１７】
ＰＣカードスロット２１は、カード挿抜口９を介して挿入されるＰＣカード１０の外形よりひと周り大きな特定の外形を有し、カード挿抜口９に連絡して取り付けられている。このため、回路基板２０上のＰＣカードスロット２１の取り付け位置Ｒは、使用するカードの種類に応じて一義的に決まる。また、このＰＣカードスロット２１を電気的に接続する回路基板２０上の接続パターン２５の位置もＰＣカードスロット２１の外形に応じて一義的に決まる。つまり、ＰＣカードスロット２１用の接続パターン２５は、カード挿抜口９から離間したＰＣカードスロット２１の端部と重なる位置となる。
【００１８】
ＰＣカードスロット２１を回路基板２０に取り付ける取り付け構造として、回路基板２０には、２つの貫通した取り付け孔３１、３２（図３参照）が形成されている。また、取り付け構造として、ＰＣカードスロット２１には、回路基板２０の取り付け孔３１、３２と一致するネジ孔３３、３４を有する耳部３５、３６（図２参照）が突設されている。しかして、ＰＣカードスロット２１を回路基板２０に取り付ける場合、ＰＣカードスロット２１を回路基板２０上の装着領域Ｒに重ねて２つの耳部３５、３６のネジ孔３３、３４を回路基板２０の取り付け孔３１、３２と一致させる。そして、回路基板２０の裏面側から２つの取り付け孔３１、３２に夫々ネジ（図示せず）を挿通して各ネジ孔３３、３４にネジ留め固定する。
【００１９】
上述したように、本実施の形態のポータブルコンピュータ１は、上記ＰＣカードスロット２１に代えて、図４に示すエクスプレスカードスロット２２（第１のカードスロット）、または図５に示すスマートカードスロット２３（第２のカードスロット）を回路基板２０の装着領域Ｒに選択的に取り付けできる。
【００２０】
図４に示すように、エクスプレスカードスロット２２を取り付ける場合、エクスプレスカードスロット２２を回路基板２０上の装着領域Ｒに重ね、エクスプレスカードスロット２２の端部にある図示しない接続端子を回路基板２０上の接続パターン２６（第１の接続端子）に接続する。エクスプレスカードスロット２２も、ここでは図示しないエクスプレスカードの外形に依存した外形を有し、筐体４のカード挿抜口９に連絡して取り付けられるため、回路基板２０側の接続パターン２６の位置も一義的に決まる。なお、この接続パターン２６は、上述したＰＣカードスロット２１用の接続パターン２５よりカード挿抜口９に近い位置に形成されている。
【００２１】
また、エクスプレスカードスロット２２を回路基板２０に取り付ける取り付け構造として、エクスプレスカードスロット２２には、ネジ孔４１、４２をそれぞれ形成した２つの耳部４３、４４が突設されている。これら２つのネジ孔４１、４２は、上述したＰＣカードスロット２１の耳部３５、３６に形成されたネジ孔３３、３４と同じ位置に形成されており、回路基板２０の上述した取り付け孔３１、３２と一致する。つまり、これら回路基板２０の取り付け孔３１、３２は、上述したＰＣカードスロット２１の取り付け構造と共通の構造となる。
【００２２】
図５に示すように、スマートカードスロット２３を回路基板２０に取り付ける場合、スマートカードスロット２３を回路基板２０上の装着領域Ｒに重ね、スマートカードスロット２３の接続端子をフレキシブルプリント配線５１およびコネクタ５２を介して回路基板２０上の接続パターン２７（第２の接続端子）に接続する。つまり、この場合、スマートカードスロット２３のカード挿抜口９から離間した端部に接続端子を設けて回路基板２０に直接接続しようとすると、この接続端子がエクスプレスカードスロット２２用の接続パターン２６に重なってしまうため、スマートカードスロット２３用の回路基板２０側の接続パターン２７を接続パターン２６とは別の位置に形成した。そして、このように離れた位置に形成された接続パターン２７にスマートカードスロット２３を接続するため、フレキシブルプリント配線５１を用いた。
【００２３】
また、スマートカードスロット２３を回路基板２０に取り付ける取り付け構造として、スマートカードスロット２３にも、ネジ孔５３、５４をそれぞれ形成した２つの耳部５５、５６が突設されている。これら２つのネジ孔５３、５４も、上述したＰＣカードスロット２１の耳部３５、３６に形成されたネジ孔３３、３４と同じ位置に形成されており、回路基板２０の上述した取り付け孔３１、３２と一致する。つまり、これら回路基板２０の取り付け孔３１、３２は、上述したＰＣカードスロット２１およびエクスプレスカードスロット２２の取り付け構造と共通の構造となる。
【００２４】
以上のように、本実施の形態によると、筐体４のカード挿抜口９に連絡する位置で回路基板２０上の装着領域Ｒに、ＰＣカードスロット２１、エクスプレスカードスロット２２、およびスマートカードスロット２３を選択的に取り付けできる。
【００２５】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【００２６】
例えば、上述した実施の形態では、３種類のカードスロット２１、２２、２３を回路基板２０上の同じ位置Ｒに選択的に取り付けるための構造について説明したが、これに限らず、４種類以上の異なる形状のカードスロットを選択的に取り付けることもできる。
【図面の簡単な説明】
【００２７】
【図１】この発明の実施の形態に係るポータブルコンピュータを示す外観斜視図。
【図２】図１のポータブルコンピュータに組み込まれた回路基板を示す概略平面図。
【図３】図２の回路基板からＰＣカードスロットを取り外した状態を示す部分拡大図。
【図４】回路基板の装着領域にエクスプレスカードスロットを取り付けた状態を示す概略平面図。
【図５】回路基板の装着領域にスマートカードスロットを取り付けた状態を示す概略平面図。
【符号の説明】
【００２８】
１…ポータブルコンピュータ、２…コンピュータ本体、３…ディスプレイユニット、４…筐体、４ｃ…左側壁、９…カード挿抜口、１０…ＰＣカード、２０…回路基板、２１…ＰＣカードスロット、２２…エクスプレスカードスロット、２３…スマートカードスロット、２５…ＰＣカードスロット用の接続パターン、２６…エクスプレスカードスロット用の接続パターン、２７…スマートカードスロット用の接続パターン、３１、３２…取り付け孔、３３、３４…ネジ孔、３５、３６…耳部、５１…フレキシブルプリント配線、５２…コネクタ。
【図１】
2009134417.tif 000003
【図２】
2009134417.tif 000004
【図３】
2009134417.tif 000005
【図４】
2009134417.tif 000006
【図５】
2009134417.tif 000007